(57)【要約】【課題】電子カメラにより撮像された画像を簡便な操作により印刷する。【解決手段】撮影された画像は、ユーザに対応するディレクトリに、撮影日毎に、また、イベント毎にまとめて記録される。そして、プリントアウトモードが選択されると、ＬＣＤ６に複数のサムネイル画像が表示され、所定のサムネイル画像上において、図示せぬペンによりシングルクリックがなされると、そのサムネイル画像の表示色が変更される。更に、シングルクリックがなされる毎に、最初に指定されたサムネイル画像が属するイベントに含まれている全てのサムネイル画像の表示色が変更され、続いて、同一の撮影日の全てのサムネイル画像の表示色が変更され、続いて、同一のディレクトリに含まれている全てのサムネイル画像の表示色が変更される。そして、所定の表示画面において、実行キー７Ｂが押圧されると、表示色が変更されているサムネイル画像が全て印刷される。【選択図】図１６
2008125129.tif 000002
【特許請求の範囲】
【請求項１】
階層構造を形成する所定の属性情報と画像データとを記録する記録手段と、
画像データを指示する指示手段と、
上位または下位方向に階層を移動する移動手段と、
前記指示手段で指示された画像データの、前記移動手段により移動された階層に含まれる画像データを選択する選択手段と
を備えることを特徴とする情報処理装置。
【請求項２】
前記選択手段により選択された画像データを外部装置に出力する出力手段をさらに備える
ことを特徴とする請求項１に記載の情報処理装置。
【請求項３】
前記外部装置は、印刷装置である
ことを特徴とする請求項２に記載の情報処理装置。
【請求項４】
前記出力手段は、前記選択手段により選択された画像データを所定枚数の記録用紙に印刷されるように、前記印刷装置に出力する
ことを特徴とする請求項３に記載の情報処理装置。
【請求項５】
前記出力手段は、前記選択手段により選択された画像データを、記録日時または更新日時に応じて前記外部装置に順次出力する
ことを特徴とする請求項２に記載の情報処理装置。
【請求項６】
前記階層構造は、記録日時の情報を用いて形成される
ことを特徴とする請求項１に記載の情報処理装置。
【請求項７】
所定時間内に記録された画像データを１つの階層とする
ことを特徴とする請求項６に記載の情報処理装置。
【請求項８】
前記階層構造は、予め決められた所定の条件で形成される
ことを特徴とする請求項１に記載の情報処理装置。
【請求項９】
前記階層構造は、ユーザ毎に割り当てられている
ことを特徴とする請求項８に記載の情報処理装置。
【請求項１０】
階層構造を形成する所定の属性情報と画像データとを記録する記録ステップと、
画像データを指示する指示ステップと、
上位または下位方向に階層を移動する移動ステップと、
前記指示ステップで指示された画像データの、前記移動ステップで移動された階層に含まれる画像データを選択する選択ステップと
を備えることを特徴とする情報処理方法。
【請求項１１】
階層構造を形成する所定の属性情報と画像データとを記録する記録ステップと、
画像データを指示する指示ステップと、
上位または下位方向に階層を移動する移動ステップと、
前記指示ステップで指示された画像データの、前記移動ステップで移動された階層に含まれる画像データを選択する選択ステップと
を備えるコンピュータプログラムが記録されていることを特徴とする記録媒体。
【請求項１２】
画像データを記録する記録手段と、
前記記録手段より画像データを読み出す読み出し手段と、
前記読み出し手段により読み出された画像データを印刷装置に出力する際に、画像データの記録用紙への印刷状態を設定する設定手段と、
前記設定手段により設定された画像データを前記印刷装置に出力する出力手段と、
前記設定手段の設定状況に応じて、前記印刷装置により印刷が完了した画像に対して、印刷がなされたことを示す付加情報を付加する付加手段と
を備えることを特徴とする情報処理装置。
【請求項１３】
前記付加手段は、前記設定手段により、１枚の記録用紙に対して複数の画像を印刷するように設定された場合には、前記付加情報を付加しない
ことを特徴とする請求項１２に記載の情報処理装置。
【請求項１４】
画像データを記録する記録ステップと、
前記記録ステップで記録された画像データを読み出す読み出しステップと、
前記読み出しステップにより読み出された画像データを印刷装置に出力する際に、画像データの記録用紙への印刷状態を設定する設定ステップと、
前記設定ステップにより設定された画像データを前記印刷装置に出力する出力ステップと、
前記設定ステップの設定状況に応じて、前記印刷装置により印刷が完了した画像に対して、印刷がなされたことを示す付加情報を付加する付加ステップと
を備えることを特徴とする情報処理方法。
【請求項１５】
画像データを記録する記録ステップと、
前記記録ステップで記録された画像データを読み出す読み出しステップと、
前記読み出しステップにより読み出された画像データを印刷装置に出力する際に、画像データの記録用紙への印刷状態を設定する設定ステップと、
前記設定ステップにより設定された画像データを前記印刷装置に出力する出力ステップと、
前記設定ステップの設定状況に応じて、前記印刷装置により印刷が完了した画像に対して、印刷がなされたことを示す付加情報を付加する付加ステップと
を備えるコンピュータプログラムが記録されていることを特徴とする記録媒体。
【請求項１６】
複数の画像データを記録する記録手段と、
前記記録手段より画像データを読み出す読み出し手段と、
前記画像データを表示する表示手段と、
前記読み出し手段により読み出された画像データを外部装置に対して出力する第１の出力手段と、
前記第１の出力手段により出力されている画像データより後に出力される、少なくとも１枚以上の画像データを前記表示手段に出力する第２の出力手段と
を備えることを特徴とする情報処理装置。
【請求項１７】
前記表示手段に表示されている画像データを前記第１の出力手段に出力することを停止させる停止手段をさらに備える
ことを特徴とする請求項１６に記載の情報処理装置。
【請求項１８】
前記外部装置は、印刷装置である
ことを特徴とする請求項１６に記載の情報処理装置。
【請求項１９】
前記第２の出力手段は、前記出力手段に出力されている画像データの直後に出力される画像データを出力する
ことを特徴とする請求項１６に記載の情報処理装置。
【請求項２０】
複数の画像データを記録する記録ステップと、
前記記録ステップで記録された画像データを読み出す読み出しステップと、
前記画像データを表示する表示ステップと、
前記読み出しステップにより読み出された画像データを外部装置に対して出力する第１の出力ステップと、
前記第１の出力ステップにより出力されている画像データより後に出力される、少なくとも１枚以上の画像データを前記表示ステップで表示されるように出力する第２の出力ステップと
を備えることを特徴とする情報処理方法。
【請求項２１】
複数の画像データを記録する記録ステップと、
前記記録ステップで記録された画像データを読み出す読み出しステップと、
前記画像データを表示する表示ステップと、
前記読み出しステップにより読み出された画像データを外部装置に対して出力する第１の出力ステップと、
前記第１の出力ステップにより出力されている画像データより後に出力される、少なくとも１枚以上の画像データを前記表示ステップで表示されるように出力する第２の出力ステップと
を備えるコンピュータプログラムが記録されていることを特徴とする記録媒体。
【請求項２２】
複数の画像データを記録する記録手段と、
前記記録手段により記録された複数の画像データを印刷装置に出力する出力手段と、
前記出力手段により出力される複数の画像データを、１枚の記録用紙につき複数の画像データを印刷するか、または、１枚の記録用紙につき１つの画像データを順次印刷するかを選択する選択手段と
を備えることを特徴とする情報処理装置。
【請求項２３】
複数の画像データを記録する記録ステップと、
前記記録ステップにより記録された複数の画像データを印刷装置に出力する出力ステップと、
前記出力ステップにより出力される複数の画像データを、１枚の記録用紙につき複数の画像データを印刷するか、または、１枚の記録用紙につき１つの画像データを順次印刷するかを選択する選択ステップと
を備えることを特徴とする情報処理方法。
【請求項２４】
複数の画像データを記録する記録ステップと、
前記記録ステップにより記録された複数の画像データを印刷装置に出力する出力ステップと、
前記出力ステップにより出力される複数の画像データを、１枚の記録用紙につき複数の画像データを印刷するか、または、１枚の記録用紙につき１つの画像データを順次印刷するかを選択する選択ステップと
を備えるコンピュータプログラムが記録されていることを特徴とする記録媒体。
【発明の詳細な説明】
【技術分野】
【０００１】
本発明は、情報処理装置および方法、並びに記録媒体に関し、特に、外部のプリンタと接続して、撮影した画像を印刷させることが可能な、情報処理装置および方法、並びに記録媒体に関する。
【背景技術】
【０００２】
従来の電子カメラにおいて、撮像された画像をプリンタなどにより印刷する場合には、メモリなどに格納されている画像群の中から、印刷すべき画像を１枚ずつ指定して、対応するデータをプリンタに逐次出力することによりなされていた。
【発明の開示】
【発明が解決しようとする課題】
【０００３】
ところで、従来の電子カメラにおいては、撮像された画像を印刷する場合、各画像間の相互関係については考慮されていなかった。従って、あるイベント（例えば、ピクニックなど）において撮像された画像群を印刷しようとすると、そのイベントに属する画像を１枚ずつ全て指定してから印刷させる必要があるので、操作が煩雑になるという課題があった。
【０００４】
また、従来の電子カメラにおいては、印刷済みの画像と、未印刷の画像とを判別する手段がなかったため、これらの区別をユーザがしなければならないという課題があった。
【０００５】
更に、複数の画像を連続して印刷する場合には、印刷が一旦開始されると、処理は連続して進行するため、不要な画像の印刷を途中でキャンセルすることが出来ないという課題があった。
【０００６】
本発明は、以上のような状況に鑑みてなされたものであり、電子カメラで撮像された画像をプリンタにより印刷する場合において、各画像間の相互関係を考慮して印刷を行うとともに、印刷済みの画像と未印刷の画像を区別し、また、連続印刷の場合において、不要な画像が印刷されることをキャンセルすることを可能とする。
【課題を解決するための手段】
【０００７】
請求項１に記載の情報処理装置は、階層構造を形成する所定の属性情報と画像データとを記録する記録手段と、画像データを指示する指示手段と、上位または下位方向に階層を移動する移動手段と、指示手段で指示された画像データの、移動手段により移動された階層に含まれる画像データを選択する選択手段とを備えることを特徴とする。
【０００８】
請求項１０に記載の情報処理方法は、階層構造を形成する所定の属性情報と画像データとを記録する記録ステップと、画像データを指示する指示ステップと、上位または下位方向に階層を移動する移動ステップと、指示ステップで指示された画像データの、移動ステップで移動された階層に含まれる画像データを選択する選択ステップとを備えることを特徴とする。
【０００９】
請求項１１に記載の記録媒体は、階層構造を形成する所定の属性情報と画像データとを記録する記録ステップと、画像データを指示する指示ステップと、上位または下位方向に階層を移動する移動ステップと、指示ステップで指示された画像データの、移動ステップで移動された階層に含まれる画像データを選択する選択ステップとを備えるコンピュータプログラムが記録されていることを特徴とする。
【００１０】
請求項１２に記載の情報処理装置は、画像データを記録する記録手段と、記録手段より画像データを読み出す読み出し手段と、読み出し手段により読み出された画像データを印刷装置に出力する際に、画像データの記録用紙への印刷状態を設定する設定手段と、設定手段により設定された画像データを印刷装置に出力する出力手段と、設定手段の設定状況に応じて、印刷装置により印刷が完了した画像に対して、印刷がなされたことを示す付加情報を付加する付加手段とを備えることを特徴とする。
【００１１】
請求項１４に記載の情報処理方法は、画像データを記録する記録ステップと、記録ステップで記録された画像データを読み出す読み出しステップと、読み出しステップにより読み出された画像データを印刷装置に出力する際に、画像データの記録用紙への印刷状態を設定する設定ステップと、設定ステップにより設定された画像データを印刷装置に出力する出力ステップと、設定ステップの設定状況に応じて、印刷装置により印刷が完了した画像に対して、印刷がなされたことを示す付加情報を付加する付加ステップとを備えることを特徴とする。
【００１２】
請求項１５に記載の記録媒体は、画像データを記録する記録ステップと、記録ステップで記録された画像データを読み出す読み出しステップと、読み出しステップにより読み出された画像データを印刷装置に出力する際に、画像データの記録用紙への印刷状態を設定する設定ステップと、設定ステップにより設定された画像データを印刷装置に出力する出力ステップと、設定ステップの設定状況に応じて、印刷装置により印刷が完了した画像に対して、印刷がなされたことを示す付加情報を付加する付加ステップとを備えるコンピュータプログラムが記録されていることを特徴とする。
【００１３】
請求項１６に記載の情報処理装置は、複数の画像データを記録する記録手段と、記録手段より画像データを読み出す読み出し手段と、画像データを表示する表示手段と、読み出し手段により読み出された画像データを外部装置に対して出力する第１の出力手段と、第１の出力手段により出力されている画像データより後に出力される、少なくとも１枚以上の画像データを表示手段に出力する第２の出力手段とを備えることを特徴とする。
【００１４】
請求項２０に記載の情報処理方法は、複数の画像データを記録する記録ステップと、記録ステップで記録された画像データを読み出す読み出しステップと、画像データを表示する表示ステップと、読み出しステップにより読み出された画像データを外部装置に対して出力する第１の出力ステップと、第１の出力ステップにより出力されている画像データより後に出力される、少なくとも１枚以上の画像データを表示ステップで表示されるように出力する第２の出力ステップとを備えることを特徴とする。
【００１５】
請求項２１に記載の記録媒体は、複数の画像データを記録する記録ステップと、記録ステップで記録された画像データを読み出す読み出しステップと、画像データを表示する表示ステップと、読み出しステップにより読み出された画像データを外部装置に対して出力する第１の出力ステップと、第１の出力ステップにより出力されている画像データより後に出力される、少なくとも１枚以上の画像データを表示ステップで表示されるように出力する第２の出力ステップとを備えるコンピュータプログラムが記録されていることを特徴とする。
【００１６】
請求項２２に記載の情報処理装置は、複数の画像データを記録する記録手段と、記録手段により記録された複数の画像データを印刷装置に出力する出力手段と、出力手段により出力される複数の画像データを、１枚の記録用紙につき複数の画像データを印刷するか、または、１枚の記録用紙につき１つの画像データを順次印刷するかを選択する選択手段とを備えることを特徴とする。
【００１７】
請求項２３に記載の情報処理方法は、複数の画像データを記録する記録ステップと、記録ステップにより記録された複数の画像データを印刷装置に出力する出力ステップと、出力ステップにより出力される複数の画像データを、１枚の記録用紙につき複数の画像データを印刷するか、または、１枚の記録用紙につき１つの画像データを順次印刷するかを選択する選択ステップとを備えることを特徴とする。
【００１８】
請求項２４に記載の記録媒体は、複数の画像データを記録する記録ステップと、記録ステップにより記録された複数の画像データを印刷装置に出力する出力ステップと、出力ステップにより出力される複数の画像データを、１枚の記録用紙につき複数の画像データを印刷するか、または、１枚の記録用紙につき１つの画像データを順次印刷するかを選択する選択ステップとを備えるコンピュータプログラムが記録されていることを特徴とする。
【００１９】
請求項１に記載の情報処理装置、請求項１０に記載の情報処理方法、および請求項１１に記載の記録媒体においては、指示された画像データのうち、移動された階層に含まれる画像データが選択される。
【００２０】
請求項１２に記載の情報処理装置、請求項１４に記載の情報処理方法、および請求項１５に記載の記録媒体においては、記録用紙への印刷状態が設定され、印刷装置による印刷が完了した画像に対して、印刷がなされたことを示す付加情報が付加される。
【００２１】
請求項１６に記載の情報処理装置、請求項２０に記載の情報処理方法、および請求項２１に記載の記録媒体においては、外部装置に対して出力されている画像データより後に出力される画像データが表示される。
【００２２】
請求項２２に記載の情報処理装置、請求項２３に記載の情報処理方法、および請求項２４に記載の記録媒体においては、１枚の記録用紙に複数の画像データを印刷するか、または、１つの画像データを順次印刷するかが選択される。
【発明の効果】
【００２３】
請求項１に記載の情報処理装置、請求項１０に記載の情報処理方法、および請求項１１に記載の記録媒体によれば、指示された画像データの中から、移動された階層に含まれる画像データを選択するようにしたので、所望の画像を簡単に選択することが可能となる。
【００２４】
請求項１２に記載の情報処理装置、請求項１４に記載の情報処理方法、および請求項１５に記載の記録媒体によれば、画像データの記録用紙への印刷状態を設定し、その設定状況に応じて、印刷装置による印刷が完了した画像に対して、印刷がなされたことを示す付加情報を付加するようにしたので、印刷済みの画像と未印刷の画像とを、容易に判別することが可能となる。
【００２５】
請求項１６に記載の情報処理装置、請求項２０に記載の情報処理方法、および請求項２１に記載の記録媒体によれば、外部装置に対して出力されている画像データより後に出力される画像データを表示するようにしたので、印刷する画像と印刷しない画像を、簡単かつ確実に選択することが可能となる。
【００２６】
請求項２２に記載の情報処理装置、請求項２３に記載の情報処理方法、および請求項２４に記載の記録媒体によれば、１枚の記録用紙に複数の画像データを印刷するか、１つの画像データを順次印刷するかを選択するようにしたので、簡単かつ確実に、所望の画像を印刷することが可能となる。
【発明を実施するための最良の形態】
【００２７】
以下、本発明の実施の形態を図面を参照して説明する。
【００２８】
図１及び図２は、本発明を適用した電子カメラの実施の形態の構成例を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上端部には、被写体の撮影範囲の確認に用いられるファインダ２、被写体の光画像を取り込む撮影レンズ３、及び被写体を照明する光を発光する発光部（ストロボ）４が設けられている。
【００２９】
さらに、面Ｘ１には、ストロボ４を発光させて撮影を行うときに、ストロボ４を発光させる前に発光させて赤目を軽減する赤目軽減ランプ１５、ＣＣＤ２０（図４）の動作を停止させているときに測光を行う測光素子１６、および、ＣＣＤ２０の動作を停止させているときに測色を行う測色素子１７が設けられている。
【００３０】
一方、面Ｘ１に対向する面Ｘ２の上端部（面Ｘ１のファインダ２、操作レンズ３、発光部４が形成されている上端部に対応する位置）には、上記ファインダ２、及びこの電子カメラ１に記録されている音声を出力するスピーカ５が設けられている。また、面Ｘ２に形成されているＬＣＤ６及び操作キー７は、ファインダ２、撮影レンズ３、発光部４及びスピーカ５よりも、鉛直下側に形成されている。ＬＣＤ６の表面上には、後述するペン型指示装置の接触操作により、指示された位置に対応する位置データを出力する、いわゆるタッチタブレット６Ａ（指示手段、移動手段、選択手段）が配置されている。
【００３１】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００３２】
操作キー７は、ＬＣＤ６に記録データを再生表示する場合などに操作されるキーであり、ユーザによる操作（入力）を検知し、ＣＰＵ３９（図６：停止手段、付加手段、読み出し手段、設定手段、付加手段）に供給するようになされている。
【００３３】
操作キー７のうちのメニューキー７Ａは、ＬＣＤ６上にメニュー画面を表示する場合に操作されるキーである。実行キー７Ｂ（選択手段）は、ユーザによって選択された記録情報を再生する場合に操作されるキーである。
【００３４】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００３５】
面Ｘ２には、ＬＣＤ６を使用していないときに保護する、摺動自在なＬＣＤカバー１４が設けられている。ＬＣＤカバー１４は、鉛直上方向に移動させた場合、図３に示すように、ＬＣＤ６及びタッチタブレット６Ａを覆うようになされている。また、ＬＣＤカバー１４を鉛直下方向に移動した場合、ＬＣＤ６及びタッチタブレット６Ａが現れるとともに、ＬＣＤカバー１４の腕部１４Ａによって、面Ｙ２に配置された電源スイッチ１１（後述）がオン状態に切り換えられるようになされている。
【００３６】
この電子カメラ１の上面である面Ｚには、音声を集音するマイクロホン８、及び図示せぬイヤホンが接続されるイヤホンジャック９が設けられている。
【００３７】
左側面（面Ｙ１）には、被写体を撮像するときに操作されるレリーズスイッチ１０、撮影時の連写モードを切り換えるときに操作される連写モード切り換えスイッチ１３、および、外部のプリンタに接続するためのプリンタ接続端子１８が設けられている。このレリーズスイッチ１０、連写モード切り換えスイッチ１３、および、プリンタ接続端子１８は、面Ｘ１の上端部に設けられているファインダ２、撮影レンズ３及び発光部４よりも鉛直下側に配置されている。
【００３８】
一方、面Ｙ１に対向する面Ｙ２（右側面）には、音声を録音するときに操作される録音スイッチ１２と、電源スイッチ１１が設けられている。この録音スイッチ１２及び電源スイッチ１１は、上記レリーズスイッチ１０及び連写モード切り換えスイッチ１３と同様に、面Ｘ１の上端部に設けられているファインダ２、撮影レンズ３及び発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００３９】
なお、録音スイッチ１２とレリーズスイッチ１０の高さを、あえて異ならせることにより、一方のスイッチを押す場合に、この押圧力によるモーメントを打ち消すために反対側の側面を指で保持したとき、誤ってこの反対側の側面に設けられたスイッチが押されてしまわないようにしてもよい。
【００４０】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００４１】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００４２】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００４３】
次に、電子カメラ１の内部の構成について説明する。図４は、図１及び図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００４４】
ファインダ内表示素子２６は、ファインダ２の視野内に配置され、ファインダ２を介して被写体を視ているユーザに対して、各種機能の設定状態などを表示するようになされている。
【００４５】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００４６】
回路基板２３には、この電子カメラ１の各部を制御する、種々の制御回路が形成されている。また、回路基板２３と、ＬＣＤ６及びバッテリ２１の間には、挿抜可能なメモリカード２４が設けられており、この電子カメラ１に入力される各種の情報が、それぞれ、メモリカード２４の予め設定されている領域に記録される。
【００４７】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００４８】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１及びＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１及びＬＣＤスイッチ２５がオフ状態になっているとき、ＬＣＤカバー１４が開かれると、図５（ａ）に示すように、電源スイッチ１１及びＬＣＤスイッチ２５がオン状態となる。そして、この後、ＬＣＤカバー１４を閉じると、ＬＣＤスイッチ２５だけが、図５（ｃ）に示すように、オフ状態となる。
【００４９】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００５０】
次に、本実施の形態の電子カメラ１の内部の電気的構成を、図６のブロック図を参照して説明する。複数の画素を備えているＣＣＤ２０は、各画素に結像した光画像を画像信号（電気信号）に光電変換するようになされている。デジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００５１】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／デジタル変換回路（以下、Ａ／Ｄ変換回路という）３２は、画像処理部３１でサンプリングした画像信号をデジタル化してＤＳＰ３３に供給するようになされている。
【００５２】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００５３】
また、ＤＳＰ３３は、Ａ／Ｄ変換回路３２より供給された画像データをフレームメモリ３５（第１の出力手段、第２の出力手段）に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００５４】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、ＤＳＰ３３が、最初に、測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００５５】
この他、ＤＳＰ３３は、メモリカード２４への記録、伸張後の画像データのバッファメモリ３６への記憶などにおけるデータ入出力のタイミング管理を行うようになされている。
【００５６】
バッファメモリ３６は、メモリカード２４に対するデータの入出力の速度と、ＣＰＵ３９やＤＳＰ３３などにおける処理速度の違いを緩和するために利用される。
【００５７】
マイクロホン８は、音声情報を入力し（音声を集音し）、その音声情報をＡ／ＤおよびＤ／Ａ変換回路４２に供給するようになされている。
【００５８】
Ａ／ＤおよびＤ／Ａ変換回路４２は、マイクロホン８により検出された音声に対応するアナログ信号をデジタル信号に変換した後、そのデジタル信号をＣＰＵ３９に出力するとともに、ＣＰＵ３９より供給された音声データをアナログ化し、アナログ化した音声信号をスピーカ５に出力するようになされている。
【００５９】
測光素子１６は、被写体およびその周囲の光量を測定し、その測定結果を測光回路５１に出力するようになされている。
【００６０】
測光回路５１は、測光素子１６より供給された測光結果であるアナログ信号に対して所定の処理を施した後、デジタル信号に変換し、そのデジタル信号をＣＰＵ３９に出力するようになされている。
【００６１】
測色素子１７は、被写体およびその周囲の色温度を測定し、その測定結果を測色回路５２に出力するようになされている。
【００６２】
測色回路５２は、測色素子１７より供給された測色結果であるアナログ信号に対して所定の処理を施した後、デジタル信号に変換し、そのデジタル信号をＣＰＵ３９に出力するようになされている。
【００６３】
タイマ４５は、時計回路を内蔵し、現在の時刻に対応するデータをＣＰＵ３９に出力するようになされている。
【００６４】
絞り駆動回路５３は、絞り５４の開口径を所定の値に設定するようになされている。
【００６５】
絞り５４は、撮影レンズ３とＣＣＤ２０の間に配置され、撮影レンズ３からＣＣＤ２０に入射する光の開口を変更するようになされている。
【００６６】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態（第１の操作を行った状態）になるまで、ＣＣＤ２０の動作（例えば電子シャッタ動作）を停止させるようになされている。
【００６７】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００６８】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６９】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００７０】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００７１】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更などの動作を行わないように、絞り駆動回路５３を制御するようになされている。
【００７２】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００７３】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００７４】
ＣＰＵ３９は、タイマ４５より供給される日時データに従って、撮影した日時の情報を画像データのヘッダ情報として、メモリカード２４の撮影画像記録領域に記録するようになされている（すなわち、メモリカード２４の撮影画像記録領域に記録される撮影画像データには、撮影日時のデータが付随している）。
【００７５】
また、ＣＰＵ３９は、デジタル化された音声情報を圧縮した後、デジタル化及び圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００７６】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００７７】
さらに、ＣＰＵ３９は、ファインダ内表示回路４０を制御して、各種動作における設定などをファインダ内表示素子２６に表示させるようになされている。
【００７８】
ＣＰＵ３９は、インタフェース（Ｉ／Ｆ）４８（出力手段、第１の出力手段、第２の出力手段）を介して、所定の外部装置（例えば、後述するプリンタ）と所定のデータの授受を行うようになされている。
【００７９】
また、ＣＰＵ３９は、操作キー７からの信号を受け取り、適宜処理するようになされている。
【００８０】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００８１】
次に、本実施の形態の電子カメラ１の各種動作について説明する。最初に、本装置のＬＣＤ６における電子ビューファインダ動作について説明する。
【００８２】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで、処理を停止する。
【００８３】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００８４】
また、レリーズスイッチ１０が操作された場合、ＣＰＵ３９は、ＣＣＤ２０および絞り駆動回路５３の動作を行わせる。
【００８５】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００８６】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００８７】
そして、Ａ／Ｄ変換回路３２は、その画像信号（アナログ信号）を、デジタル信号である画像データに変換し、その画像データをＤＳＰ３３に出力する。
【００８８】
ＤＳＰ３３は、その画像データをフレームメモリ３５に出力し、ＬＣＤ６にその画像データに対応する画像を表示させる。
【００８９】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００９０】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００９１】
次に、本装置による被写体の撮影について説明する。
【００９２】
第１に、面Ｙ１に設けられている連写モード切り換えスイッチ１３が、Ｓモード（１コマだけ撮影を行うモード）に切り換えられている場合について説明する。最初に、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００９３】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態（第２の操作を行った状態）になったとき、被写体の撮影処理を開始させる。
【００９４】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでデジタル化されてＤＳＰ３３に出力される。
【００９５】
ＤＳＰ３３は、その画像データをバッファメモリ３６に一旦出力した後、バッファメモリ３６より、その画像データを読み出し、離散的コサイン変換、量子化及びハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００９６】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００９７】
次に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９８】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９９】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【０１００】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【０１０１】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、第４回目のサンプリング時においては、左下の画素ｃ、右下の画素ｄが、それぞれ、サンプリングされ、その他の画素が間引かれる。つまり、４コマ毎に各画素がサンプリングされる。
【０１０２】
画像処理部３１によってサンプリングされた画像信号（ＣＣＤ２０の全画素中の４分の１の画素の画像信号）は、Ａ／Ｄ変換回路３２に供給され、そこでデジタル化されてＤＳＰ３３に出力される。
【０１０３】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【０１０４】
さらに、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【０１０５】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【０１０６】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【０１０７】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【０１０８】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１０９】
画像処理部３１によってサンプリングされた画像信号（ＣＣＤ２０の全画素中の９分の１の画素の画像信号）は、Ａ／Ｄ変換回路３２に供給され、そこでデジタル化されてＤＳＰ３３に出力される。
【０１１０】
ＤＳＰ３３は、デジタル化された画像信号をバッファメモリ３６に一旦出力した後、その画像信号を読み出し、ＪＰＥＧ方式に従って圧縮した後、デジタル化及び圧縮処理された撮影画像データを、撮影日時のヘッダ情報を付随して、メモリカード２４の撮影画像記録領域に記録する。
【０１１１】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を、発光させないように制御する。
【０１１２】
次に、タッチタブレット６Ａから２次元の情報（ペン入力情報）を入力する場合の動作について説明する。
【０１１３】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【０１１４】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【０１１５】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【０１１６】
なお、ユーザは、図示せぬ色選択スイッチを操作することによって、ＬＣＤ６上に表示される線画の色を、黒、白、赤、青等の色から選択することができる。
【０１１７】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【０１１８】
なお、メモリカード２４に記録される線画情報は、圧縮処理の施された情報である。タッチタブレット６Ａに入力された線画情報は空間周波数成分の高い情報を多く含んでいるので、上記撮影画像の圧縮に用いられるＪＰＥＧ方式によって圧縮処理を行うと、圧縮効率が悪く情報量が小さくならず、圧縮及び伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１１９】
そこで、本実施の形態においては、ファックス等において用いられるランレングス法によって、線画情報を圧縮するようにしている。ランレングス法とは、線画画面を水平方向に走査し、黒、白、赤、青等の各色の情報（点）の継続する長さ、及び無情報（ペン入力のない部分）の継続する長さを符号化することにより、線画情報を圧縮する方法である。
【０１２０】
このランレングス法を用いることにより、線画情報を最小に圧縮することができ、また、圧縮された線画情報を伸張した場合においても、情報の欠落を抑制することが可能になる。なお、線画情報は、その情報量が比較的少ない場合には、圧縮しないようにすることもできる。
【０１２１】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１２２】
メモリカード２４の音声記録領域、撮影画像記録領域、または線画情報記録領域にデータを記録した場合、図９に示すように、ＬＣＤ６に所定の表示が行われる。
【０１２３】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１２４】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１２５】
また、メモ記号「＊」は、線画情報として所定のメモが記録されていることを表している。
【０１２６】
サムネイル画像の表示領域の右側には、音声情報バーが表示され、録音時間の長さに対応する長さのバー（線）が表示される（音声情報が入力されていない場合は、表示されない）。
【０１２７】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１２８】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１２９】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１３０】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１３１】
Ｓモードで撮影された画像は、ＬＣＤ６上に、静止画像として表示される。この静止画像は、ＣＣＤ２０の全ての画素の画像信号を再生したものであることはいうまでもない。
【０１３２】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１３３】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１３４】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１３５】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１３６】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１３７】
本実施の形態においては、Ｌモード及びＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化及び低消費電力化が可能になる。
【０１３８】
ところで、本実施の形態の電子カメラ１は、図１０に示すように外部のプリンタ１００をプリンタ接続端子１８を介して接続し、撮影した画像を記録用紙に印刷させることが可能である。
【０１３９】
図１１は、図１０に示すプリンタ１００の構成例を示すブロック図である。この図において、ＣＰＵ１０２は、ＲＯＭ１０３に格納されているプログラムに従って、種々の処理を行うようになされている。ＲＡＭ１０４は、ＣＰＵ１０２が所定の処理を行う場合に、演算途中のデータやプログラムなどを一時的に格納するようになされている。ＩＦ（Interface）１０６は、ＣＰＵ１０２が外部の機器とデータを授受する場合に、必要に応じてデータのフォーマットを変換するようになされている。バス１０５は、ＣＰＵ１０２、ＲＯＭ１０３、ＲＡＭ１０４、および、ＩＦ１０６を相互に接続し、これらの間でデータを伝送するようになされている。
【０１４０】
ＩＦ１０６には、外部の電子カメラ１と、印刷部１０７が接続されている。
【０１４１】
印刷部１０７は、電子カメラ１から送信され、ＣＰＵ１０２により所定の処理が施された画像データを記録用紙に印刷するようになされている。
【０１４２】
次に、本実施の形態の電子カメラ１にプリンタ１００を接続して、撮影画像を印刷する場合に実行される処理の一例について図１２を参照して説明する。
【０１４３】
図１２に示す処理は、メニューキー７Ａが押圧されることにより表示されるメニュー画面（図１３参照）において、選択項目「PRINT OUT」（印刷モード）が選択された場合に実行される処理である。なお、図１３に示すメニュー画面では、選択項目として「RECORDING」（記録モード）、「PLAY BACK」（再生モード）、「SLIDE SHOW」（スライドショーモード）、「SET UP」（セットアップモード）、および、「PRINT OUT」（印刷モード）が表示されており、これらの中から所望のモードを選択することにより、目的の処理を行うことが可能とされている。
【０１４４】
図１２に示す処理が実行されると、ステップＳ１において、電子カメラ１のＣＰＵ３９は、印刷する画像群の最初の画像のＩＤを格納する変数ｓｔ、最後の画像のＩＤを格納する変数ｅｎのそれぞれを値０に初期設定する。
【０１４５】
ステップＳ２では、ＣＰＵ３９は、タッチタブレット６Ａがクリックされた回数をカウントする変数ｃｌを値０に初期設定する。そして、ステップＳ３に進む。
【０１４６】
ステップＳ３では、画像リスト（図１６を参照して後述する）がＬＣＤ６に表示される。そして、ステップＳ４に進む。
【０１４７】
ステップＳ４では、ＣＰＵ３９は、実行キー７Ｂが押圧されたか否かを判定する。その結果、実行キー７Ｂが押圧された（ＹＥＳ）と判定した場合には、ステップＳ５に進み、印刷処理（後述する）を実行し、処理を終了する（エンド）。また、実行キー７Ｂが押圧されていない（ＮＯ）と判定した場合には、ステップＳ６に進む。
【０１４８】
ステップＳ６では、ＣＰＵ３９は、図１６に示す画像リストにおいて、所定のサムネイル画像がペン４１によりクリック（１回押圧）されたか否かを判定する。その結果、所定のサムネイル画像がクリックされていない（ＮＯ）と判定した場合には、ステップＳ４に戻り、前述の場合と同様の処理を繰り返す。また、所定のサムネイル画像がペン４１によりクリックされた（ＹＥＳ）と判定した場合には、ステップＳ７に進む。
【０１４９】
ステップＳ７では、クリックされた回数をカウントする変数ｃｌの値が１だけインクリメントされ、ステップＳ８に進む。
【０１５０】
ステップＳ８では、変数ｃｌの値が７であるか否かが判定される。その結果、変数ｃｌの値が７ではない（ＮＯ）と判定された場合には、ステップＳ１０の処理に進む。また、変数ｃｌの値が７である（ＹＥＳ）と判定された場合には、ステップＳ９に進む。
【０１５１】
ステップＳ９においては、変数ｃｌに値１が代入され、ステップＳ１０に進む。
【０１５２】
ステップＳ１０では、表示処理が実行される。なお、この処理は、サブルーチンとなっており、その詳細は、図１４を参照して後述する。
【０１５３】
ステップＳ１０の処理が終了すると、ステップＳ４に戻り、前述の場合と同様の処理が繰り返される。
【０１５４】
次に、図１４を参照して、図１２のステップＳ１０に示す表示処理の詳細について説明する。
【０１５５】
この処理は、図１２のステップＳ１０の処理が実行された場合に呼び出されて実行される。この処理が実行されると、ステップＳ３０において、ＣＰＵ３９は、変数ｃｌの値が１であるか否か（サムネイル画像が１回クリックされたか否か）を判定する。その結果、変数ｃｌの値が１ではない（ＮＯ）と判定した場合には、ステップＳ３２に進む。また、変数ｃｌの値が１である（ＹＥＳ）と判定した場合には、ステップＳ３１に進む。
【０１５６】
ステップＳ３１では、印刷する画像群の最初と最後の画像のＩＤを、変数ｓｔと変数ｅｎにそれぞれ代入する。そして、ステップＳ４１に進む。
【０１５７】
ステップＳ４１では、変数ｃｌおよびｓｔ，ｅｎの値に応じて、ＬＣＤ６に表示されている画像リストが更新されることになる。なお、その詳細については、後述する。
【０１５８】
いま、メモリカード２４には、図１５に示すように、ユーザ名を示す「YASUO」と「TAKAKO」の２つのディレクトリが形成されており、それぞれのディレクトリには、２人のユーザが各々撮影した画像が記録されているとする。なお、この図において、「○」は単写画像を示し、また「△」は連写画像を示している。また、撮影画像のＩＤとしては、例えば、ディレクトリ「YASUO」に格納されている撮影画像には、１乃至９９の値が撮影順に割り当てられ、また、ディレクトリ「TAKAKO」に格納されている画像には、１０１乃至１９９の値が撮影順に割り当てられる。
【０１５９】
そして、ＬＣＤ６に撮影画像のリストとして、例えば、ディレクトリ「YASUO」に格納されている、３月２日に撮影された画像が図１６に示すように表示されているとする。即ち、この図の例では、６時０１分に撮影された画像と、９時３６分に連写された３枚の画像と、１０時１０分および１０時１５分に撮影された画像が表示されている。なお、６時０１分のサムネイル画像の右隣りに表示されている「済」の文字のマークは、この画像が以前に印刷されたことがある（印刷済みである）ことを示している。また、９時３６分に撮影された３枚のサムネイル画像の左隣りに表示されている「Ｃ」の文字のマークは、これらが連写画像であることを示している。
【０１６０】
このような撮影画像のリストにおいて、例えば、９時３６分に撮影された連写画像の２枚目の画像が、ペン４１によりクリックされたとすると、図１２のステップＳ６において、所定のサムネイル画像がクリックされた（ＹＥＳ）と判定され、ステップＳ７において、変数ｃｌの値が１だけインクリメントされてｃｌ＝１とされ、ステップＳ８を経た後、ステップＳ１０に進む。
【０１６１】
ステップＳ１０の処理が実行されると、図１４の処理が呼び出され、ステップＳ３０において、ｃｌ＝１であることからステップＳ３１に進む。ステップＳ３１では、指定された画像のＩＤが、変数ｓｔとｅｎにそれぞれ代入される。即ち、クリックされた画像のＩＤが、変数ｓｔとｅｎにそれぞれ代入されることになる。
【０１６２】
ステップＳ４１では、変数ｓｔ，ｅｎ，ｃｌの値に応じて、画像リストが更新される。いま、ｃｌ＝１であり、また、変数ｓｔ，ｅｎには、９時３６分の連写画像の２枚目の画像のＩＤが格納されている。従って、このような例では、図１６に示すように、指定されたサムネイル画像のみの表示色が変更されることになる。そして、ステップＳ４の処理に復帰（リターン）する。
【０１６３】
続いて、同一のサムネイル画像上において、クリックが再度なされたとすると、ステップＳ７において、変数ｃｌの値が１だけインクリメントされてｃｌ＝２とされる。その結果、図１４の処理では、ステップＳ３２において、ＹＥＳと判定され、ステップＳ３３に進む。
【０１６４】
ステップＳ３３では、変数ｓｔ，ｅｎに、最初に指定された画像（即ち、図１６の９時３６分に連写された２枚目の画像）が属する連写画像の最初と最後の画像（９時３６分に連写された１枚目と第３枚目の画像）のＩＤがそれぞれ代入され、ステップＳ４１に進む。
【０１６５】
ステップＳ４１では、図１７に示すように、連写画像のサムネイルの表示色が変更される。
【０１６６】
同様にして、再度クリックがなされた場合には、ステップＳ３４においてＹＥＳと判定され、ステップＳ３５において、最初に指定された画像が属しているイベントの最初と最後のＩＤが、変数ｓｔ，ｅｎにそれぞれ格納され、ステップＳ４１に進む。
【０１６７】
なお、イベントは、ある画像とその直前の画像の撮影時間の差に応じて生成される。即ち、直前の画像との撮影時間の差が所定の時間内（例えば、１時間以内）である場合には、これらは同一のイベントとされる。例えば、図１６の例では、９時３６分、１０時１０分、および、１０時１５分に撮影された画像は、直前に撮影された画像との時間差がそれぞれ１時間以内であるので、全て同一のイベントに属しているものと見なされる。また、６時０１分に撮影された画像と、その直後に撮影された画像（９時３６分に撮影された画像）とは、１時間以上の時間差があるため、別のイベントに属しているものとされる。
【０１６８】
いま、９時３６分の連写画像と、１０時１０分および１０時１５分に撮影された画像が同一のイベントに属しているとすると、ステップＳ４１の処理では、図１８に示すように、連写画像と１０時１０分および１０時１５分の画像（同一イベントの画像）の表示色が変更されることになる。
【０１６９】
更に、続けてクリックがなされた場合には、ステップＳ３６において、ＹＥＳと判定され、変数ｓｔには、最初に指定された画像の撮影日における最初の画像（６時０１分に撮影された画像）のＩＤが代入され、また、変数ｅｎには、同日の最後に撮影された画像（１０時１５分に撮影された画像）のＩＤが代入される。そして、ステップＳ４１に進む。
【０１７０】
ステップＳ４１では、図１９に示すように、３月２日に撮影されたサムネイル画像の表示色が全て変更されることになる。
【０１７１】
続いて、クリックがなされると、ステップＳ７において、ｃｌ＝５とされるので、ステップＳ３８では、ＹＥＳと判定されて、ステップＳ３９に進む。
【０１７２】
ステップＳ３９では、変数ｓｔ，ｅｎに対して、ディレクトリの最初の画像のＩＤと、最後の画像のＩＤとがそれぞれ代入され、ステップＳ４１に進む。
【０１７３】
ステップＳ４１では、（ｅｎ−ｓｔ＋１）が演算され、ディレクトリ「YASUO」に格納されている画像の枚数が算出される。そして、画像の枚数が１画面に表示可能な枚数よりも多い場合には、例えば、図２０に示すように、画像の枚数が表示される。即ち、この表示例では、ディレクトリ「YASUO」には、合計１４枚の画像が格納されていることが示されている。
【０１７４】
更にクリックがなされると、ステップＳ７において、ｃｌ＝６とされ、ステップＳ３８では、ＮＯと判定されるので、ステップＳ４０に進む。
【０１７５】
ステップＳ４０では、メモリカード２４に格納されている全ての画像のＩＤの中で、最小と最大のものを変数ｓｔ，ｅｎに対してそれぞれ格納し、ステップＳ４１に進む。
【０１７６】
ステップＳ４１では、図２１に示すように、メモリカード２４に存在する全てのディレクトリと、それぞれのディレクトリに格納されている画像の枚数、および、その合計枚数が表示される。この表示例では、ディレクトリ「YASUO」には１０枚の画像が、また、ディレクトリ「TAKAKO」には４枚の画像が格納されており、合計で１４枚の画像が格納されていることが示されている。
【０１７７】
更にクリックがなされた場合には、ｃｌ＝７となり、ステップＳ８でＹＥＳと判定され、ステップＳ９でｃｌ＝１とされるので、図１６の表示に戻ることになる。
【０１７８】
従って、以上の実施の形態の動作を要約すると、メモリカード２４（記録手段）に記録されている画像は、画像が記録された日時やイベント（属性情報）などに応じた階層構造を有している。即ち、最上部の階層はディレクトリ毎に分類された階層であり、これは、例えば、各ユーザ毎に割り当てられている。また、その下の階層は、記録日毎に分類された階層である。更にその下の階層は、イベント毎に分類された階層であり、前述のように直前の画像との撮影の時間差を参照して決定される。また、その下の階層は、連写画像毎に分類された階層とされている。
【０１７９】
そして、所定のサムネイル画像上において、ペン４１（移動手段）によりクリックがなされると、クリックの回数に応じて、印刷の対象となる階層が上部に遷移するとともに、その階層に含まれている全ての画像の表示色が逐次変更されていくことになる。
【０１８０】
ここで、所定の階層が表示された場合において、実行キー７Ｂが押圧されると、ステップＳ４において、ＹＥＳと判定され、ステップＳ５に進み、所望の画像の印刷処理が実行されることになる。
【０１８１】
続いて、図２２と図２３を参照して、ステップＳ５の処理の詳細について説明する。
【０１８２】
この処理が実行されると、ステップＳ６０において、ＣＰＵ３９は、変数ｓｔ，ｅｎの値が共に０であるか否か（クリックされずに実行キー７Ｂが押圧されたか否か）を判定する。その結果、ｓｔ，ｅｎの値が共に０である（ＹＥＳ）と判定した場合には、ステップＳ６１に進む。
【０１８３】
ステップＳ６１では、指定された画像を縮小して１枚の記録用紙に印刷するインデックスプリント処理が実行される。なお、この処理の詳細は、図２３を参照して後述する。
【０１８４】
ステップＳ６０において、変数ｓｔ，ｅｎの値が共に０ではない（ＮＯ）と判定された場合には、ステップＳ６２に進む。
【０１８５】
ステップＳ６２では、変数ｉに変数ｓｔの値、即ち、印刷する最初の画像のＩＤを代入し、ステップＳ６３に進む。
【０１８６】
ステップＳ６３では、ＣＰＵ３９は、変数ｉの値に１を加算したＩＤを有する画像をメモリカード２４から読み出し、伸長処理を施した後、ＬＣＤ６に表示させる。その結果、ＬＣＤ６には、次に印刷される画像が表示されることになる。なお、変数ｉの値に１を加算した値が、変数ｅｎの値よりも大きい場合には、標示処理を行わないようにする。
【０１８７】
ステップＳ６４では、ＣＰＵ３９は、変数ｉの値をＩＤとして有する画像をメモリカード２４から読み出し、伸長処理を施した後、インタフェース４８を介してプリンタ１００に対して出力する。
【０１８８】
プリンタ１００は、ＩＦ１０６により、電子カメラ１から出力された画像データを受信し、ＲＡＭ１０４に一旦格納した後、印刷部１０７に出力する。その結果、画像データに対応する画像が、記録用紙に印刷されることになる。
【０１８９】
いま、ある画像が印刷中であり、ＬＣＤ６に図２４に示すような画像が表示されているとすると、前述の画像の印刷が終了すると、ＬＣＤ６に表示されている画像が続いて印刷されることになる。図２５は、図２４に示す画像が、記録用紙２００に対して印刷された場合の印刷例を示す図である。
【０１９０】
なお、次に印刷される画像が印刷済み画像（印刷済み情報が付加された画像）である場合には、図２６に示すように、画面の一部に印刷済みの画像であることを示す「済」の文字のマークが表示される。
【０１９１】
ステップＳ６５では、印刷が終了した画像（ＩＤ＝ｉの画像）に対して、印刷済み情報を付加する。印刷済み情報は、例えば、各画像のヘッダの所定のビットに格納され、このビットが“１”の状態とされた場合には、印刷済みであることを示す。なお、このようにして、印刷済み情報が付加された画像をリスト表示した場合には、図１６の６時０１分に撮影された画像と同様に、印刷済みを示すマークが表示されることになる。
【０１９２】
なお、複数の画像が１枚の記録用紙に記録されるインデックスプリント（後述するステップＳ６１におけるプリント）を実行した場合には、印刷済み情報は付加されない。
【０１９３】
ステップＳ６６では、ＣＰＵ３９は、キャンセルキー７Ｄが押圧されたか否かを判定する。その結果、キャンセルキー７Ｄが押圧されていない（ＮＯ）と判定した場合には、ステップＳ６８に進む。また、キャンセルキー７Ｄが押圧された（ＹＥＳ）と判定した場合にはステップＳ６７に進む。
【０１９４】
ステップＳ６６において、ＹＥＳと判定された場合には、ステップＳ６７に進み、変数ｉの値が１だけインクリメントされ、ステップＳ６８に進む。
【０１９５】
ステップＳ６８でも、変数ｉの値が１だけインクリメントされ、ステップＳ６９に進む。
【０１９６】
ステップＳ６９では、変数ｉの値が変数ｅｎの値よりも大きいか否かが判定され、その結果、ｉの値がｅｎの値よりも大きい（ＹＥＳ）と判定された場合には処理を終了する（エンド）。また、ｉの値がｅｎの値以下である（ＮＯ）と判定された場合には、ステップＳ６３に戻り、前述の場合と同様の処理を繰り返す。
【０１９７】
以上のような処理によれば、変数ｓｔ，ｅｎの値が共に０である場合には、後述するインデックスプリントが行われ、また、それ以外の場合には、変数ｓｔ，ｅｎにより指定されるＩＤを有する画像群がプリントアウトされることになる。なお、その際、次にプリントアウトされる画像がＬＣＤ６に表示されるので、プリントアウト前にその画像を確認することが可能となるとともに、その画像が不要である場合には、キャンセルキー７Ｄを押圧することにより、その印刷をキャンセルすることができる。
【０１９８】
次に、図２３を参照して、ステップＳ６１に示す、インデックスプリント処理の詳細について説明する。
【０１９９】
この処理が実行されると、ステップＳ８０において、ＣＰＵ３９は、印刷形態の入力を受ける。即ち、１枚の記録用紙に１イベントずつ印刷するか、または、１枚に全ての画像を印刷するかの何れかをユーザに選択させる。なお、この区別としては、実行キー７Ｂがシングルクリックされた場合には、全ての画像を１枚の記録用紙に印刷し、また、実行キー７Ｂがダブルクリックされた場合には、１イベントを１枚の記録用紙に記録するようにする。
【０２００】
ステップＳ８１では、ＣＰＵ３９は、ステップＳ８０において、イベント毎の表示が指定されたか否かを判定する。その結果、イベント毎の表示が指定されていない（ＮＯ）と判定した場合には、ステップＳ８３に進み、メモリカード２４に記録されている全ての画像を読み出し、伸長処理を施した後、画像の枚数と記録用紙のサイズに応じて各画像を間引きなどにより縮小し、１枚の画像に合成して、プリンタ１００に対して出力する。その結果、例えば、図２７に示すような画像が印刷されることになる。
【０２０１】
なお、この間引き処理により作成される画像は、例えば、サムネイル画像を流用するようにしてもよい。また、全ての画像が１枚の記録用紙に収まらない場合には、複数の記録用紙に分けて印刷してもよい。
【０２０２】
また、ステップＳ８１において、イベント毎の印刷が指定された（ＹＥＳ）と判定した場合には、ステップＳ８２に進む。
【０２０３】
ステップＳ８２では、変数ｉが１に初期設定される。そして、ステップＳ８４に進む。
【０２０４】
ステップＳ８４では、ＣＰＵ３９は、第ｉ番目のイベントに属する画像群をメモリカード２４から読み出し、伸長処理を施した後、画像の枚数と記録用紙のサイズに応じて、画素を間引いて画像を縮小し、合成して１枚の画像にする。そして、インタフェース４８を介して、プリンタ１００に対して出力する。
【０２０５】
その結果、プリンタ１００は、各イベントを１枚の記録用紙に収まるように印刷することになる。
【０２０６】
ステップＳ８５では、変数ｉの値を１だけインクリメントし、ステップＳ８６に進む。
【０２０７】
ステップＳ８６では、ＣＰＵ３９は、第ｉ番目のイベントが存在するか否かを判定する。その結果、第ｉ番目のイベントが存在する（ＹＥＳ）と判定した場合には、ステップＳ８４に戻り、前述の場合と同様の処理を繰り返す。また、第ｉ番目のイベントが存在しない（ＮＯ）と判定した場合には、元の処理へ復帰（リターン）する。
【０２０８】
以上の処理によれば、クリックを行う回数に応じて、上部の階層が印刷の対象として選択され、その階層以下に含まれている全ての画像が印刷されることになるので、画像の相互の関連を反映させて、印刷処理を行うことが可能となる。
【０２０９】
なお、以上の実施の形態では、画像リストを最初に表示し、クリックの回数に応じて、上部の階層を逐次表示するようにしたが、例えば、上部の階層を指定してから次第に下部の階層に遷移するようにしてもよい。図２８乃至図３１は、そのような形式の表示例を示す図である。
【０２１０】
図２８は、図１３のメニュー画面において、選択項目「PRINT OUT」が選択された場合の表示例である。この例では、ディレクトリ「YASUO」と「TAKAKO」をそれぞれ示すファイルフォルダ３００，３０１が表示されている。
【０２１１】
このような表示画面において、例えば、ファイルフォルダ３００（YASUO）上において、ペン４１によりダブルクリック（タッチタブレット６Ａが２回連続して押圧されること）がなされたとすると、図２９に示すような画面が続いて表示されることになる。
【０２１２】
この表示例では、３月１日、３月２日、および、４月１日に撮影された画像が格納されているファイルフォルダ３０３乃至３０５が表示されている。また、図の右上には、図２８の画面に復帰する場合に操作されるリターンボタン３０２が表示されている。
【０２１３】
続いて、図２９の表示画面において、３月２日のファイルフォルダ３０４上においてダブルクリックがなされた場合には、図３０に示すように、３月２日に含まれているイベント１，２に対するファイルフォルダ３０６，３０７が表示される。なお、この図において、リターンボタン３０２は、図２９の画面に復帰する場合に操作される。
【０２１４】
図３０の表示画面において、イベント２に対応するファイルフォルダ３０７上においてダブルクリックがなされた場合には、図３１に示す画面が表示されることになる。この画面では、イベント２に含まれている画像に対応するサムネイル画像が表示されている。この例では、９時３６分に撮影された連写画像と、１０時１０分および１０時１５分に撮影された画像に対応するサムネイル画像が表示されている。
【０２１５】
以上のような表示において、ユーザが所定の階層（図２８乃至図３１の何れか）において、所定のファイルフォルダまたはサムネイル上をシングルクリックし、実行キー７Ｂを押圧すると、指定されたファイルフォルダに含まれている全ての画像が印刷されることになる。例えば、図３０の表示画面において、ファイルフォルダ３０７上において、シングルクリックがなされた後、実行キー７Ｂが押圧されると、図３１に示す全ての撮影画像がインタフェース４８から逐次出力されて印刷されることになる。
【０２１６】
なお、以上の実施の形態の表示例は、ほんの一例であり、本発明はこれらの表示例のみに限定されるものではないことは勿論である。
【０２１７】
また、以上の実施の形態においては、画像のＩＤが小さい順に印刷されるようにしたが、例えば、撮影日時や更新日時に応じて印刷がなされるようにしてもよい。
【０２１８】
最後に、図１２、図１４、図２２、図２３に示す制御プログラムは、メモリカード２４に記憶されている。なお、これらのプログラムは、予めメモリカード２４に記憶された状態で使用者に供給されてもよいし、メモリカード２４にコピー可能なようにＣＤ−ＲＯＭ（Compact Disc-ROM）などに記憶された状態で使用者に供給されてもよい。
【図面の簡単な説明】
【０２１９】
【図１】本発明を適用した電子カメラの実施の形態を正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１及び図２に示す電子カメラ１の内部の構成を示す斜視図である。
【図５】ＬＣＤカバー１４の位置と、電源スイッチ１１及びＬＣＤスイッチ２５の状態との関係を説明する図である。
【図６】図１及び図２に示す電子カメラの内部の電気的構成を示すブロック図である。
【図７】Ｌモード時における画素の間引き処理を説明する図である。
【図８】Ｈモード時における画素の間引き処理を説明する図である。
【図９】図１及び図２に示す電子カメラの表示画面の例を示す図である。
【図１０】図１に示す電子カメラ１をプリンタ１００と接続した場合の様子を示す図である。
【図１１】図１０に示すプリンタ１００の構成例を示すブロック図である。
【図１２】電子カメラ１において実行される印刷処理の一例を説明するフローチャートである。
【図１３】メニュー画面の表示例を示す図である。
【図１４】図１２に示す表示処理の詳細を説明するフローチャートである。
【図１５】電子カメラ１のメモリカード２４に記録されている画像の一例を説明する図である。
【図１６】図１２に示す処理が実行された場合にＬＣＤ６に表示される画面の表示例である。
【図１７】図１６に示す画面においてタッチタブレット６Ａがシングルクリックされた場合に表示される画面の表示例である。
【図１８】図１７に示す画面においてタッチタブレット６Ａがシングルクリックされた場合に表示される画面の表示例である。
【図１９】図１８に示す画面においてタッチタブレット６Ａがシングルクリックされた場合に表示される画面の表示例である。
【図２０】図１９に示す画面においてタッチタブレット６Ａがシングルクリックされた場合に表示される画面の表示例である。
【図２１】図２０に示す画面においてタッチタブレット６Ａがシングルクリックされた場合に表示される画面の表示例である。
【図２２】図１２に示す印刷処理の詳細を説明するフローチャートである。
【図２３】図２２に示すインデックスプリント処理の詳細を説明するフローチャートである。
【図２４】図１２に示す処理が実行された場合にＬＣＤ６に表示される画面の表示例である。
【図２５】図２３に示す画像が記録用紙に印刷された場合の印刷例を示す図である。
【図２６】図１２に示す処理が実行された場合にＬＣＤ６に表示される画面の他の表示例である。
【図２７】インデックスプリントの印刷例を示す図である。
【図２８】本発明を適用した他の表示例を示す図である。
【図２９】図２８の表示画面において、シングルクリックがなされた場合に表示される画面の表示例である。
【図３０】図２９の表示画面において、シングルクリックがなされた場合に表示される画面の表示例である。
【図３１】図３０の表示画面において、シングルクリックがなされた場合に表示される画面の表示例である。
【符号の説明】
【０２２０】
１  電子カメラ
２  ファインダ
３  撮影レンズ
４  発光部
５  スピーカ
６  ＬＣＤ
６Ａ  タッチタブレット
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子
１７  測色素子
２０  ＣＣＤ
２１  バッテリ
２２  コンデンサ
２３  回路基板
２４  メモリカード
２５  ＬＣＤスイッチ
２６  ファインダ内表示素子
３０  レンズ駆動回路
３１  画像処理部
３２  アナログ／デジタル変換回路
３３  デジタルシグナルプロセッサ（ＤＳＰ）
３４  ＣＣＤ駆動回路
３５  フレームメモリ
３６  バッファメモリ
３７  ストロボ駆動回路
３８  赤目軽減ランプ駆動回路
３９  ＣＰＵ
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
【図１】
2008125129.tif 000003
【図２】
2008125129.tif 000004
【図３】
2008125129.tif 000005
【図４】
2008125129.tif 000006
【図５】
2008125129.tif 000007
【図６】
2008125129.tif 000008
【図７】
2008125129.tif 000009
【図８】
2008125129.tif 000010
【図９】
2008125129.tif 000011
【図１０】
2008125129.tif 000012
【図１１】
2008125129.tif 000013
【図１２】
2008125129.tif 000014
【図１３】
2008125129.tif 000015
【図１４】
2008125129.tif 000016
【図１５】
2008125129.tif 000017
【図１６】
2008125129.tif 000018
【図１７】
2008125129.tif 000019
【図１８】
2008125129.tif 000020
【図１９】
2008125129.tif 000021
【図２０】
2008125129.tif 000022
【図２１】
2008125129.tif 000023
【図２２】
2008125129.tif 000024
【図２３】
2008125129.tif 000025
【図２４】
2008125129.tif 000026
【図２５】
2008125129.tif 000027
【図２６】
2008125129.tif 000028
【図２７】
2008125129.tif 000029
【図２８】
2008125129.tif 000030
【図２９】
2008125129.tif 000031
【図３０】
2008125129.tif 000032
【図３１】
2008125129.tif 000033
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
画像データを記録する記録手段と、
前記記録手段より画像データを読み出す読み出し手段と、
前記読み出し手段により読み出された画像データを印刷装置に出力する際に、画像データの記録用紙への印刷状態を設定する設定手段と、
前記設定手段により設定された画像データを前記印刷装置に出力する出力手段と、
前記設定手段の設定状況に応じて、前記印刷装置により印刷が完了した画像に対して、印刷がなされたことを示す付加情報を付加する付加手段と
を備えることを特徴とする情報処理装置。
【請求項２】
前記付加手段は、前記設定手段により、１枚の記録用紙に対して複数の画像を印刷するように設定された場合には、前記付加情報を付加しない
ことを特徴とする請求項１に記載の情報処理装置。
【請求項３】
画像データを記録する記録ステップと、
前記記録ステップで記録された画像データを読み出す読み出しステップと、
前記読み出しステップにより読み出された画像データを印刷装置に出力する際に、画像データの記録用紙への印刷状態を設定する設定ステップと、
前記設定ステップにより設定された画像データを前記印刷装置に出力する出力ステップと、
前記設定ステップの設定状況に応じて、前記印刷装置により印刷が完了した画像に対して、印刷がなされたことを示す付加情報を付加する付加ステップと
を備えることを特徴とする情報処理方法。
【請求項４】
画像データを記録する記録ステップと、
前記記録ステップで記録された画像データを読み出す読み出しステップと、
前記読み出しステップにより読み出された画像データを印刷装置に出力する際に、画像データの記録用紙への印刷状態を設定する設定ステップと、
前記設定ステップにより設定された画像データを前記印刷装置に出力する出力ステップと、
前記設定ステップの設定状況に応じて、前記印刷装置により印刷が完了した画像に対して、印刷がなされたことを示す付加情報を付加する付加ステップと
を備えるコンピュータプログラムが記録されていることを特徴とする記録媒体。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項１に記載の情報処理装置は、画像データを記録する記録手段と、記録手段より画像データを読み出す読み出し手段と、読み出し手段により読み出された画像データを印刷装置に出力する際に、画像データの記録用紙への印刷状態を設定する設定手段と、設定手段により設定された画像データを印刷装置に出力する出力手段と、設定手段の設定状況に応じて、印刷装置により印刷が完了した画像に対して、印刷がなされたことを示す付加情報を付加する付加手段とを備えることを特徴とする。
【手続補正６】
【補正対象書類名】明細書
【補正対象項目名】００１１
【補正方法】変更
【補正の内容】
【００１１】
請求項３に記載の情報処理方法は、画像データを記録する記録ステップと、記録ステップで記録された画像データを読み出す読み出しステップと、読み出しステップにより読み出された画像データを印刷装置に出力する際に、画像データの記録用紙への印刷状態を設定する設定ステップと、設定ステップにより設定された画像データを印刷装置に出力する出力ステップと、設定ステップの設定状況に応じて、印刷装置により印刷が完了した画像に対して、印刷がなされたことを示す付加情報を付加する付加ステップとを備えることを特徴とする。
【手続補正７】
【補正対象書類名】明細書
【補正対象項目名】００１２
【補正方法】変更
【補正の内容】
【００１２】
請求項４に記載の記録媒体は、画像データを記録する記録ステップと、記録ステップで記録された画像データを読み出す読み出しステップと、読み出しステップにより読み出された画像データを印刷装置に出力する際に、画像データの記録用紙への印刷状態を設定する設定ステップと、設定ステップにより設定された画像データを印刷装置に出力する出力ステップと、設定ステップの設定状況に応じて、印刷装置により印刷が完了した画像に対して、印刷がなされたことを示す付加情報を付加する付加ステップとを備えるコンピュータプログラムが記録されていることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
請求項１に記載の情報処理装置、請求項３に記載の情報処理方法、および請求項４に記載の記録媒体においては、記録用紙への印刷状態が設定され、印刷装置による印刷が完了した画像に対して、印刷がなされたことを示す付加情報が付加される。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項１に記載の情報処理装置、請求項３に記載の情報処理方法、および請求項４に記載の記録媒体によれば、画像データの記録用紙への印刷状態を設定し、その設定状況に応じて、印刷装置による印刷が完了した画像に対して、印刷がなされたことを示す付加情報を付加するようにしたので、印刷済みの画像と未印刷の画像とを、容易に判別する
ことが可能となる。
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】